(57)【要約】【課題】トナーカートリッジとドラムカートリッジが交換しやすい画像形成装置を提供する。【解決手段】画像形成装置１は、筐体２の開口２３から着脱可能なドラムカートリッジ８と、ドラムカートリッジ８に着脱可能なトナーカートリッジ９と、開口２３の一部を覆う閉位置と、開口２３の一部を開放する開位置との間で回動する第１カバー１１０と、第１カバー１１０と並び、開口２３の残りの一部を覆う閉位置と、開口２３の残りの一部を開放する開位置との間で回動する第２カバー１２０と、を備える。第１カバー１１０が開位置で第２カバー１２０が閉位置の場合に、開口２３の一部を介して、ドラムカートリッジ８からトナーカートリッジ９の着脱を許容する。第１カバー１１０が開位置で第２カバー１２０が閉位置の場合に、第２カバー１２０の一部がドラムカートリッジ８と接触して筐体２からドラムカートリッジ８の着脱を許容しない。【選択図】図６
2019174691.tif 000002
【特許請求の範囲】
【請求項１】
開口を有する筐体と、
前記開口から着脱可能なドラムカートリッジであって、軸方向に延びる第１軸について回転可能な感光体ドラムを有するドラムカートリッジと、
前記ドラムカートリッジに着脱可能なトナーカートリッジであって、トナーを収容可能なケースを有するトナーカートリッジと、
前記軸方向に延びる第２軸について回動可能な第１カバーであって、前記開口の一部を覆う閉位置と、前記開口の一部を開放する開位置との間で回動する第１カバーと、
前記軸方向において前記第１カバーと並び、前記第２軸について回動可能な第２カバーであって、前記開口の残りの一部を覆う閉位置と、前記開口の残りの一部を開放する開位置との間で回動する第２カバーと、
を備え、
前記第１カバーが開位置であり、且つ、前記第２カバーが開位置の場合に、前記ドラムカートリッジと前記トナーカートリッジとが前記開口を介して着脱可能であり、
前記第１カバーが開位置であり、且つ、前記第２カバーが閉位置の場合に、前記筐体に前記ドラムカートリッジが装着された状態において、前記開口の一部を介して、前記ドラムカートリッジから前記トナーカートリッジの着脱を許容し、
前記第１カバーが開位置であり、且つ、前記第２カバーが閉位置の場合に、前記第２カバーの一部が前記ドラムカートリッジと接触し、前記開口の一部を介して、前記筐体から前記ドラムカートリッジの着脱を許容しないことを特徴とする画像形成装置。 
【請求項２】
前記第１カバーおよび前記第２カバーは、フロントカバーであることを特徴とする請求項１に記載の画像形成装置。
【請求項３】
前記画像形成装置は、
前記第２カバーが閉位置にある状態において、前記第２カバーを、前記筐体にロックするロック状態と、前記筐体にロックしない非ロック状態とに切替可能な第２ロック機構をさらに備えることを特徴とする請求項１または請求項２に記載の画像形成装置。
【請求項４】
前記画像形成装置は、
閉位置にある前記第１カバーを、前記筐体にロックするロック状態と、前記筐体にロックしない非ロック状態とに切替可能な第１ロック機構をさらに備えることを特徴とする請求項３に記載の画像形成装置。
【請求項５】
前記画像形成装置は、
前記第１カバーを、前記第２カバーにロックするロック状態と、ロックしない非ロック状態とに切替可能な第３ロック機構をさらに備えることを特徴とする請求項３に記載の画像形成装置。
【請求項６】
前記画像形成装置は、制御部をさらに備え、
前記制御部は、
前記トナーカートリッジの交換タイミングであるかを判定する第１判定処理と、
前記第１判定処理により、前記トナーカートリッジの交換タイミングであると判定された場合、前記第２ロック機構をロック状態とする第１処理と、
を実行することを特徴とする請求項３に記載の画像形成装置。
【請求項７】
前記制御部は、
前記ドラムカートリッジの交換タイミングであるかを判定する第２判定処理と、
前記第２判定処理により、前記ドラムカートリッジの交換タイミングであると判定された場合、前記第２ロック機構を非ロック状態とする第２処理と、
を実行することを特徴とする請求項６に記載の画像形成装置。
【請求項８】
前記制御部は、
紙詰まり状態にあるかを判定する第３判定処理と、
前記第３判定処理により、紙詰まり状態であると判定された場合、前記第２ロック機構を非ロック状態とする第３処理と、
を実行することを特徴とする請求項６または請求項７に記載の画像形成装置。
【請求項９】
前記画像形成装置は、制御部をさらに備え、
前記制御部は、
前記トナーカートリッジの交換タイミングであるかを判定する第１判定処理と、
前記第１判定処理により、前記トナーカートリッジの交換タイミングであると判定された場合、前記第１ロック機構を非ロック状態とするとともに前記第２ロック機構をロック状態とする第４処理と、
を実行することを特徴とする請求項４に記載の画像形成装置。
【請求項１０】
前記制御部は、
前記ドラムカートリッジの交換タイミングであるかを判定する第２判定処理と、
前記第２判定処理により、前記ドラムカートリッジの交換タイミングであると判定された場合、前記第１ロック機構を非ロック状態とするとともに前記第２ロック機構を非ロック状態とする第５処理と、
を実行することを特徴とする請求項９に記載の画像形成装置。
【請求項１１】
前記制御部は、
紙詰まり状態にあるかを判定する第３判定処理と、
前記第３判定処理により、紙詰まり状態であると判定された場合、前記第１ロック機構を非ロック状態とするとともに前記第２ロック機構を非ロック状態とする第６処理と、
を実行することを特徴とする請求項９または請求項１０に記載の画像形成装置。
【請求項１２】
前記画像形成装置は、制御部をさらに備え、
前記制御部は、
前記トナーカートリッジの交換タイミングであるかを判定する第１判定処理と、
前記第１判定処理により、前記トナーカートリッジの交換タイミングであると判定された場合、前記第２ロック機構をロック状態とするとともに前記第３ロック機構を非ロック状態とする第７処理と、
を実行することを特徴とする請求項５に記載の画像形成装置。
【請求項１３】
前記制御部は、
前記ドラムカートリッジの交換タイミングであるかを判定する第２判定処理と、
前記第２判定処理により、前記ドラムカートリッジの交換タイミングであると判定された場合、前記第２ロック機構を非ロック状態とするとともに前記第３ロック機構をロック状態とする第８処理と、
を実行することを特徴とする請求項１２に記載の画像形成装置。
【請求項１４】
前記制御部は、
紙詰まり状態にあるかを判定する第３判定処理と、
前記第３判定処理により、紙詰まり状態であると判定された場合、前記第２ロック機構を非ロック状態とするとともに前記第３ロック機構をロック状態とする第９処理と、
を実行することを特徴とする請求項１２または請求項１３に記載の画像形成装置。
【発明の詳細な説明】
【技術分野】
【０００１】
本発明は、ドラムカートリッジを備える画像形成装置に関する。
【背景技術】
【０００２】
従来、ドラムカートリッジが着脱可能な画像形成装置において、ドラムカートリッジからトナーカートリッジをさらに着脱可能とし、ドラムカートリッジとトナーカートリッジがそれぞれ個別に交換できるものが知られている（特許文献１参照）。トナーカートリッジのみを交換するときには、画像形成装置からドラムカートリッジを取り外した後で、ドラムカートリッジからトナーカートリッジを取り外している。
【先行技術文献】
【特許文献】
【０００３】
【特許文献１】特開２００６−１８４５０２号公報
【発明の概要】
【発明が解決しようとする課題】
【０００４】
しかしながら、従来技術ではユーザーがトナーカートリッジのみを交換するときにも、トナーカートリッジが装着されたドラムカートリッジごと画像形成装置から取り外す必要があった。
【０００５】
そこで、本発明は、トナーカートリッジとドラムカートリッジを交換しやすい画像形成装置を提供することを目的とする。
【課題を解決するための手段】
【０００６】
前記した目的を達成するため、本発明の画像形成装置は、開口を有する筐体と、開口から着脱可能なドラムカートリッジであって、軸方向に延びる第１軸について回転可能な感光体ドラムを有するドラムカートリッジと、ドラムカートリッジに着脱可能なトナーカートリッジであって、トナーを収容可能なケースを有するトナーカートリッジと、軸方向に延びる第２軸について回動可能な第１カバーであって、開口の一部を覆う閉位置と、開口の一部を開放する開位置との間で回動する第１カバーと、軸方向において第１カバーと並び、第２軸について回動可能な第２カバーであって、開口の残りの一部を覆う閉位置と、開口の残りの一部を開放する開位置との間で回動する第２カバーと、を備える。
画像形成装置は、第１カバーが開位置であり、且つ、第２カバーが開位置の場合に、ドラムカートリッジとトナーカートリッジとが開口を介して着脱可能である。
画像形成装置は、第１カバーが開位置であり、且つ、第２カバーが閉位置の場合に、筐体にドラムカートリッジが装着された状態において、開口の一部を介して、ドラムカートリッジからトナーカートリッジの着脱を許容する。
画像形成装置は、第１カバーが開位置であり、且つ、第２カバーが前記閉位置の場合に、第２カバーの一部がドラムカートリッジと接触し、開口の一部を介して、筐体から前記ドラムカートリッジの着脱を許容しない。
【０００７】
このような構成によれば、第１カバーと第２カバーを両方開けると、ドラムカートリッジを着脱することができる。そして、第１カバーのみを開けると、ドラムカートリッジからトナーカートリッジのみを着脱することができる。このため、トナーカートリッジを交換するときには、わざわざドラムカートリッジ着脱する必要がない。さらに、第１カバーのみを開ければ、第２カバーの一部がドラムカートリッジと接触し、筐体からドラムカートリッジの着脱を許容しないので、ユーザーが間違えてドラムカートリッジを着脱することがない。この結果、画像形成装置からトナーカートリッジとドラムカートリッジを交換しやすくすることができる。
【０００８】
前記した画像形成装置において、第１カバーおよび第２カバーは、フロントカバーである構成としてもよい。
【０００９】
これによれば、ユーザーは、第１カバーと第２カバーのどちらのカバーを開閉するときにも、前側から操作することができる。
【００１０】
前記した画像形成装置において、第２カバーが閉位置にある状態において、第２カバーを筐体にロックするロック状態と、筐体にロックしない非ロック状態とに切替可能な第２ロック機構をさらに備える構成としてもよい。
【００１１】
これによれば、トナーカートリッジを着脱するときに第２カバーが開くことを抑制できる。
【００１２】
前記した画像形成装置において、閉位置にある第１カバーを、筐体にロックするロック状態と、筐体にロックしない非ロック状態とに切替可能な第１ロック機構を備える構成としてもよい。
【００１３】
これによれば、トナーカートリッジとドラムカートリッジを着脱しないときに、第１カバーが開くことを抑制できる。
【００１４】
前記した画像形成装置において、第１カバーを、第２カバーにロックするロック状態と、ロックしない非ロック状態とに切替可能な第３ロック機構を備える構成としてもよい。
【００１５】
これによれば、トナーカートリッジとドラムカートリッジを着脱しないときに、第１カバーが開くことを抑制できる。
【００１６】
前記した画像形成装置において、制御部をさらに備え、制御部は、トナーカートリッジの交換タイミングであるかを判定する第１判定処理と、第１判定処理により、トナーカートリッジの交換タイミングであると判定された場合、第２ロック機構をロック状態とする第１処理と、を実行する構成としてもよい。
【００１７】
これによれば、トナーカートリッジの交換タイミングであると判定された場合に、第２カバーをロック状態とすることができる。これにより、トナーカートリッジを交換するときには、第１カバーのみを開けてトナーカートリッジのみを着脱することができる。
【００１８】
前記した画像形成装置において、制御部は、ドラムカートリッジの交換タイミングであるかを判定する第２判定処理と、第２判定処理により、ドラムカートリッジの交換タイミングであると判定された場合、第２ロック機構を非ロック状態とする第２処理と、を実行する構成としてもよい。
【００１９】
これによれば、ドラムカートリッジの交換タイミングであると判定された場合に、第２カバーを非ロック状態とすることができる。これにより、ドラムカートリッジを交換するときにはドラムカートリッジを着脱することができる。
【００２０】
前記した画像形成装置において、制御部は、紙詰まり状態にあるかを判定する第３判定処理と、第３判定処理により、紙詰まり状態であると判定された場合、第２ロック機構を非ロック状態とする第３処理と、を実行する構成としてもよい。
【００２１】
これによれば、紙詰まり状態であると判定された場合に、第２カバーを非ロック状態とすることができる。これにより、紙詰まり状態になったとき、ドラムカートリッジを着脱することができる。
【００２２】
前記した画像形成装置において、制御部をさらに備え、制御部は、トナーカートリッジの交換タイミングであるかを判定する第１判定処理と、第１判定処理により、トナーカートリッジの交換タイミングであると判定された場合、第１ロック機構を非ロック状態とするとともに前記第２ロック機構をロック状態とする第４処理と、を実行する構成としてもよい。
【００２３】
これによれば、トナーカートリッジの交換タイミングであると判定された場合に、第１カバーを非ロック状態とし、第２カバーをロック状態とすることができる。このため、ユーザーは、ドラムカートリッジと間違わずに、トナーカートリッジのみを着脱することができる。
【００２４】
前記した画像形成装置において、制御部は、ドラムカートリッジの交換タイミングであるかを判定する第２判定処理と、第２判定処理により、ドラムカートリッジの交換タイミングであると判定された場合、第１ロック機構を非ロック状態とするとともに第２ロック機構を非ロック状態とする第５処理と、を実行する構成としてもよい。
【００２５】
これによれば、ドラムカートリッジの交換タイミングであると判定された場合に、第１カバーを非ロック状態とし、第２カバーを非ロック状態とすることができる。このため、ユーザーは、トナーカートリッジと間違わずに、ドラムカートリッジを着脱することができる。
【００２６】
前記した画像形成装置において、制御部は、紙詰まり状態にあるかを判定する第３判定処理と、第３判定処理により、紙詰まり状態であると判定された場合、第１ロック機構を非ロック状態とするとともに第２ロック機構を非ロック状態とする第６処理と、を実行する構成としてもよい。
【００２７】
これによれば、紙詰まり状態であると判定された場合に、第１カバーを非ロック状態とし、第２カバーを非ロック状態とすることができる。このため、ユーザーは、トナーカートリッジと間違わずに、ドラムカートリッジを着脱することができる。
【００２８】
前記した画像形成装置において、制御部をさらに備え、制御部は、トナーカートリッジの交換タイミングであるかを判定する第１判定処理と、第１判定処理により、トナーカートリッジの交換タイミングであると判定された場合、第２ロック機構をロック状態とするとともに第３ロック機構を非ロック状態とする第７処理と、を実行する構成としてもよい。
【００２９】
これによれば、トナーカートリッジの交換タイミングであると判定された場合に、第２カバーをロック状態とすることができる。これにより、トナーカートリッジを交換するときには、第１カバーのみを開けてトナーカートリッジのみを着脱することができる。
【００３０】
前記した画像形成装置において、制御部は、ドラムカートリッジの交換タイミングであるかを判定する第２判定処理と、第２判定処理により、ドラムカートリッジの交換タイミングであると判定された場合、第２ロック機構を非ロック状態とするとともに第３ロック機構をロック状態とする第８処理と、を実行する構成としてもよい。
【００３１】
これによれば、ドラムカートリッジの交換タイミングであると判定された場合に、第１カバーを非ロック状態とし、第２カバーを第１カバーに対してロック状態とすることができる。このため、ユーザーは、第１カバーと第２カバーのいずれを操作した場合であっても、これらを一緒に開くことができる。したがって、トナーカートリッジと間違わずに、ドラムカートリッジを着脱することができる。
【００３２】
前記した画像形成装置において、制御部は、紙詰まり状態にあるかを判定する第３判定処理と、第３判定処理により、紙詰まり状態であると判定された場合、第２ロック機構を非ロック状態とするとともに第３ロック機構をロック状態とする第９処理と、を実行する構成としてもよい。
【００３３】
これによれば、紙詰まり状態であると判定された場合に、第１カバーを非ロック状態とし、第２カバーを第１カバーに対してロック状態とすることができる。このため、ユーザーは、第１カバーと第２カバーのいずれを操作した場合であっても、これらを一緒に開くことができる。したがって、トナーカートリッジと間違わずに、ドラムカートリッジを着脱することができる。
【発明の効果】
【００３４】
本発明によれば、画像形成装置からトナーカートリッジとドラムカートリッジを交換しやすくすることができる。
【図面の簡単な説明】
【００３５】
【図１】本発明の第１実施形態における画像形成装置の概略構成を示す図である。
【図２】ドラムカートリッジとトナーカートリッジを示す斜視図である。
【図３】画像形成装置を示す斜視図である。
【図４】図３の状態から第１カバーを開けた図（ａ）と、第１カバーと第２カバーを開けた図（ｂ）である。
【図５】カバーのロック状態（ａ）と、非ロック状態（ｂ）を示す図である。
【図６】画像形成装置にドラムカートリッジが装着された状態を上から見た断面図（ａ）と、（ａ）の状態からトナーカートリッジのみを外したときを示した図（ｂ）である。
【図７】第１カバーと第２カバーを開いた状態でドラムカートリッジを外したときを示した図である。
【図８】制御部の動作を示すフローチャートである。
【図９】第２実施形態における図４に対応する図である。
【図１０】第２実施形態における制御部の動作を示すフローチャートである。
【図１１】第３実施形態における制御部の動作を示すフローチャートである。
【発明を実施するための形態】
【００３６】
次に、本発明の第１実施形態について、図面を参照しながら詳細に説明する。
図１に示すように、モノクロ用のレーザプリンタの画像形成装置１は、筐体２と、フィーダ部３と、画像形成部４と、制御部１００と、を主に備えている。フィーダ部３は、記録シートＳを筐体２内に供給する。画像形成部４は、記録シートＳに画像を形成する。
【００３７】
筐体２は、開口２３と、第１カバー１１０と、第２カバー１２０とを有している。開口２３は、筐体２の前面に位置する。
【００３８】
フィーダ部３は、供給トレイ３１と、供給機構３２とを備えている。供給トレイ３１は、筐体２の下部に着脱可能に装着される。供給機構３２は、供給トレイ３１内の記録シートＳを画像形成部４に向けて給紙する。
【００３９】
画像形成部４は、スキャナユニット５と、プロセスカートリッジ６と、定着装置７とを備えている。
【００４０】
スキャナユニット５は、筐体２内の上部に設けられ、図示しないレーザ発光部、ポリゴンミラー、レンズおよび反射鏡などを備えている。このスキャナユニット５では、レーザビームを、後述する感光体ドラム８１の表面上に高速走査にて照射する。
【００４１】
プロセスカートリッジ６は、フィーダ部３とスキャナユニット５との間に装着されている。プロセスカートリッジ６はドラムカートリッジ８とトナーカートリッジ９とを備えている。トナーカートリッジ９はドラムカートリッジ８に着脱可能である。ドラムカートリッジ８は、トナーカートリッジ９を装着した状態で、プロセスカートリッジ６として開口２３から画像形成装置１に着脱可能である。
【００４２】
ドラムカートリッジ８は、トナーカートリッジ９を装着可能なドラムフレーム８０と、感光体ドラム８１と、転写ローラ８２と、帯電器８３とを主に有している。（図２も参照）感光体ドラム８１は、軸方向に延びる第１軸Ｘ１について回転可能である。
【００４３】
トナーカートリッジ９は、内部にトナーを収容可能なケース９０と、現像ローラ９１と、供給ローラ９２とを主に有している。現像ローラ９１は感光体ドラム８１にトナーを供給する。供給ローラ９２はケース９０内のトナーを現像ローラ９１に供給する。
【００４４】
このプロセスカートリッジ６では、回転する感光体ドラム８１の表面が、帯電器８３により一様に帯電された後、スキャナユニット５からのレーザビームの高速走査により露光される。これにより、露光された部分の電位が下がって、感光体ドラム８１の表面に画像データに基づく静電潜像が形成される。
【００４５】
次いで、現像ローラ９１が回転することで、トナーカートリッジ９内のトナーが感光体ドラム８１の静電潜像に供給されて、感光体ドラム８１の表面上にトナー像が形成される。その後、感光体ドラム８１と転写ローラ８２の間で記録シートＳが搬送されることで、感光体ドラム８１の表面に担持されているトナー像が記録シートＳ上に転写される。
【００４６】
定着装置７は、加熱ローラ７１と、加圧ローラ７２とを備えている。加圧ローラ７２は、加熱ローラ７１と対向して配置される。そして、定着装置７では、記録シートＳ上に転写されたトナーを、記録シートＳが加熱ローラ７１と加圧ローラ７２との間で熱定着している。
【００４７】
なお、定着装置７で熱定着された記録シートＳは、定着装置７の下流側に配設される排紙ローラ２４に搬送され、この排紙ローラ２４から排紙トレイ２５上に送り出される。
【００４８】
図３に示すように、第１カバー１１０および第２カバー１２０は、開口２３を覆うように配置されている。第１カバー１１０および第２カバー１２０は、フロントカバーである。
【００４９】
図３、図４（ａ）に示すように、第１カバー１１０は、軸方向に延びる第２軸Ｘ２について回動可能である。第１カバー１１０は、開口２３の一部を覆う閉位置（図３に示す位置）と、開口２３の一部を開放する開位置（図４（ａ）に示す位置）との間で回動する。
【００５０】
第１カバー１１０は、第１凹部１１１を有している。第１凹部１１１は、後述する第１ソレノイド１５１に係合して第１カバー１１０を筐体２にロックする。
【００５１】
画像形成装置１は、第１開閉センサ１３１と第１ロック機構１４１をさらに備えている。
【００５２】
第１開閉センサ１３１は、筐体２の第１カバー１１０と向かい合う筐体２の前面に設けられている。第１開閉センサ１３１は、第１カバー１１０の開閉を検知する。第１開閉センサ１３１は、例えば、プッシュスイッチである。具体的には、第１カバー１１０が閉位置にあるとき第１カバー１１０が第１開閉センサ１３１と接触し、第１カバー１１０が開位置にあるとき第１カバー１１０が第１開閉センサ１３１と接触しないことで、第１カバー１１０の開閉を検知する。第１開閉センサ１３１が検知した検知結果は制御部１００に出力される（図１も参照）。
【００５３】
第１ロック機構１４１は、筐体２に設けられている。第１ロック機構１４１は、閉位置にある第１カバー１１０を、筐体２にロックするロック状態と、筐体２にロックしない非ロック状態とに切替可能である。
【００５４】
図５（ａ）、（ｂ）に示すように、第１ロック機構１４１は、第１ソレノイド１５１を有している。第１ソレノイド１５１は、本体部１５１Ａと可動部１５１Ｂを有している。第１ソレノイド１５１は、ＯＮすると可動部１５１Ｂが本体部１５１Ａに引っ込み（図５（ｂ））、ＯＦＦするとに示すように可動部１５１Ｂが本体部１５１Ａから突出する（図５（ａ））ようになっている。
【００５５】
第１ソレノイド１５１がＯＦＦのときには、可動部１５１Ｂが第１カバー１１０の第１凹部１１１と係合している。これにより、第１カバー１１０は、筐体２にロックされてロック状態となる。そして、図５（ｂ）に示すように、第１ソレノイド１５１がＯＮのときには、可動部１５１Ｂと第１凹部１１１の係合が解除される。これにより、第１カバー１１０が筐体２にロックしない非ロック状態となる。非ロック状態となった第１カバー１１０は、自重または図示しないバネにより閉位置から開位置に向けて少し移動するようになっている。
【００５６】
図３、図４（ｂ）に示すように、第２カバー１２０は、軸方向において、第１カバー１１０より小さい。第２カバー１２０は、軸方向において第１カバー１１０と並んでいる。第２カバー１２０は、第２軸Ｘ２について回動可能である。つまり、本実施形態においては、第２カバー１２０は、第１カバー１１０と同じ軸について回動可能である。第２カバー１２０は、開口２３の残りの一部を覆う閉位置（図３に示す位置）と、開口２３の残りの一部を開放する開位置（図４（ｂ）に示す位置）との間で回動する。
【００５７】
第２カバー１２０は、第２凹部１２１と突起部１２２を有している。第２凹部１２１は、後述する第２ロック機構１４２に係合して第２カバー１２０を筐体２にロックする。突起部１２２は、閉位置にある第２カバー１２０から筐体２の内側に向かって延びている。突起部１２２は、第２カバー１２０が閉位置にあるとき、ドラムカートリッジ８と接触可能である（図６（ａ）参照）。
【００５８】
画像形成装置１は、第２開閉センサ１３２と第２ロック機構１４２をさらに備えている。
【００５９】
第２開閉センサ１３２は、筐体２の第２カバー１２０と向かい合う筐体２の前面に設けられている。第２開閉センサ１３２は、第２カバー１２０の開閉を検知する。第２開閉センサ１３２は、例えば、プッシュスイッチである。具体的には、第２カバー１２０が閉位置にあるとき第２カバー１２０が第２開閉センサ１３２と接触し、第２カバー１２０が開位置にあるとき第２カバー１２０が第２開閉センサ１３２と接触しないことで、第２カバー１２０の開閉を検知する。第２開閉センサ１３２が検知した検知結果は制御部１００に出力される（図１も参照）。
【００６０】
第２ロック機構１４２は、前フレーム２２に設けられている。第２ロック機構１４２は、閉位置にある第２カバー１２０を、筐体２にロックするロック状態と、筐体２にロックしない非ロック状態とに切替可能である。なお、第２ロック機構１４２は、第１ロック機構１４１と同様の構成であるので、図５（ａ），（ｂ）には、これら構成する部材の符号を並べて示した。
【００６１】
第２ロック機構１４２は、第２ソレノイド１５２を有している。第２ソレノイド１５２は、本体部１５２Ａと可動部１５２Ｂを有している。第２ソレノイド１５２は、ＯＮすると可動部１５２Ｂが本体部１５２Ａ内に引っ込み（図５（ｂ））、ＯＦＦすると可動部１５２Ｂが本体部１５２Ａから突出する（図５（ａ））ようになっている。
【００６２】
第２ソレノイド１５２がＯＦＦのときには、可動部１５２Ｂが第２カバー１２０の第２凹部１２１と係合している。これにより、第２カバー１２０は、筐体２にロックされてロック状態となっている。そして、図５（ｂ）に示すように、第２ソレノイド１５２がＯＮのときには、可動部１５２Ｂと第２凹部１２１の係合が解除される。これにより、第２カバー１２０が筐体２にロックしない非ロック状態となる。非ロック状態となった第２カバー１２０は、自重または図示しないバネにより閉位置から開位置に向けて少し移動するようになっている。
【００６３】
第１カバー１１０が閉位置の場合には、ドラムカートリッジ８およびトナーカートリッジ９の着脱経路は第１カバー１１０と重なるので、ドラムカートリッジ８およびトナーカートリッジ９は、筐体２から着脱することができない。このため、図６（ａ）に示すように、第１カバー１１０が閉位置であり、且つ、第２カバー１２０が閉位置の場合に、画像形成装置１は、筐体２からドラムカートリッジ８およびトナーカートリッジ９の着脱を許容しない。
【００６４】
第２カバー１２０が閉位置の場合には、ドラムカートリッジ８を筐体２から取り外そうとすると、第２カバー１２０の一部である突起部１２２がドラムカートリッジ８と接触するので、ドラムカートリッジ８を筐体２から着脱することができない。このため、図６（ｂ）に示すように、第１カバー１１０が開位置であり、第２カバー１２０が閉位置の場合に、画像形成装置１は、開口２３の一部を介して、筐体２からドラムカートリッジ８の着脱を許容しない。
【００６５】
一方、第２カバー１２０が閉位置の場合であっても、トナーカートリッジ９は、着脱経路が第２カバー１２０と重ならないので、第１カバー１１０が開位置にあれば、筐体２から着脱することができるようになっている。このため、第１カバー１１０が開位置であり、且つ、第２カバー１２０が閉位置の場合に、画像形成装置１は、筐体２にドラムカートリッジ８が装着された状態において、開口２３の一部を介して、ドラムカートリッジ８からトナーカートリッジ９の着脱を許容する。
【００６６】
図７に示すように、第１カバー１１０が開位置であり、且つ、第２カバー１２０が開位置の場合に、画像形成装置１は、ドラムカートリッジ８とトナーカートリッジ９とが開口２３を介して着脱可能である。
【００６７】
制御部１００は、図示しないＣＰＵ（プロセッサー）、ＲＡＭ、ＲＯＭ（メモリー）、入出力回路などを有し、ＲＯＭに記憶されたプログラムやデータ、用紙検知センサ１６０、第１開閉センサ１３１、第２開閉センサ１３２などの出力に基づいて第１ソレノイド１５１および第２ソレノイド１５２を作動させることで、第１カバー１１０や第２カバー１２０の開閉を制御する。
【００６８】
制御部１００は、第１判定処理と第２判定処理と第３判定処理と第４処理と第５処理と第６処理を実行可能である。
【００６９】
第１判定処理は、トナーカートリッジ９の交換タイミングであるかを判定する処理である。制御部１００は、第１判定処理により、トナーカートリッジ９の交換タイミングであると判定された場合、第１ロック機構１４１を非ロック状態とするとともに第２ロック機構１４２をロック状態とする第４処理を実行する。
【００７０】
トナーカートリッジ９の交換タイミングを判定する方法は特に限定されない。例えば、トナーカートリッジ９のケース９０内に光を入射し、制御部１００と接続されたセンサが、その入射光を検知し、検知した信号に基づいて、制御部１００は、トナーカートリッジ９内のトナーの残量を推定し、トナーカートリッジ９の交換時期を判定してもよい。また、制御部１００は、装着されているトナーカートリッジ９の印刷枚数が所定数量に達したかを判定し、トナーカートリッジ９の交換タイミングと判定してもよい。
【００７１】
第２判定処理は、ドラムカートリッジ８の交換タイミングであるかを判定する処理である。制御部１００は、第２判定処理により、ドラムカートリッジ８の交換タイミングであると判定された場合、第１ロック機構１４１を非ロック状態とするとともに第２ロック機構１４２を非ロック状態とする第５処理を実行する。
【００７２】
ドラムカートリッジ８の交換タイミングを判定する方法は特に限定されない。例えば、制御部１００は、感光体ドラム８１の駆動時間が所定時間に達したと判定したときに、ドラムカートリッジ８の交換タイミングであると判定することができる。また、制御部１００は、装着されているドラムカートリッジ８の印刷枚数が所定数量に達したと判定したときにドラムカートリッジ８の交換タイミングであると判定してもよい。
【００７３】
第３判定処理は、紙詰まり状態にあるかを判定する処理である。制御部１００は、第３判定処理により、紙詰まり状態であると判定された場合、第１ロック機構１４１を非ロック状態とするとともに第２ロック機構１４２を非ロック状態とする第６処理を実行する。
【００７４】
本実施形態では、画像形成装置１が紙詰まりであるかを判定するために、用紙検知センサ１６０が用いられる。図１に示すように、用紙検知センサ１６０は、感光体ドラム８１と定着装置７の間に配置されている。用紙検知センサ１６０は、搬送される記録シートＳの通過を検知する。用紙検知センサ１６０は、記録シートＳを所定時間以上検知した場合に紙詰まり状態であるとして、検知結果を制御部１００に出力するようになっている。なお、用紙検知センサ１６０は、複数配置してもよい。
【００７５】
次に、制御部１００の動作の一例について詳細に説明する。制御部１００は、図８に示すフローチャートを常時繰り返し実行している。画像形成装置１の電源がＯＮされる前の状態では、第１ソレノイド１５１および第２ソレノイド１５２はＯＦＦになっている。なお、制御部１００は、画像形成装置１の電源がＯＮされることで、図８に示すフローチャートを実行する。
【００７６】
図８に示すように、画像形成装置１の電源がＯＮされると、制御部１００は、電源ＯＦＦの指示があるかを判断する（Ｓ１）。ステップＳ１において、制御部１００が、電源ＯＦＦの指示があると判断した場合には（Ｓ１，Ｙｅｓ）、制御部１００は、画像形成装置１の電源をＯＦＦして本制御を終了する。
【００７７】
ステップＳ１において、制御部１００が、電源ＯＦＦの指示がないと判断した場合（Ｓ１，Ｎｏ）、制御部１００は、第２判定処理としてドラムカートリッジの交換タイミングであるかを判断する（Ｓ２）。
【００７８】
ステップＳ２において、制御部１００が、ドラムカートリッジの交換タイミングであると判断した場合（Ｓ２，Ｙｅｓ）、制御部１００は、第５処理を実行して第１ソレノイド１５１および第２ソレノイド１５２をＯＮする（Ｓ２１）。第１ソレノイド１５１および第２ソレノイド１５２がＯＮされると、第１ロック機構１４１および第２ロック機構１４２が解除される。これにより、第１カバー１１０および第２カバー１２０が開き、ユーザーは、ドラムカートリッジ８を着脱する必要があることがわかる。ユーザーはドラムカートリッジ８を交換した後、第１カバー１１０および第２カバー１２０を閉じればよい。なお、ドラムカートリッジ８とトナーカートリッジ９の交換タイミングが同時のときには、ユーザーは、ドラムカートリッジ８と共にトナーカートリッジ９も交換すればよい。
【００７９】
ステップＳ２１のあと、制御部１００は、第１カバー１１０および第２カバー１２０が閉じられたかを判断する（Ｓ２２）。ステップＳ２２において、制御部１００が、第１カバー１１０および第２カバー１２０が閉じられていないと判断した場合（Ｓ２２，Ｎｏ）、制御部１００は、第１カバー１１０および第２カバー１２０が閉じられるまで待つ。
【００８０】
ステップＳ２２において、制御部１００が、第１カバー１１０および第２カバー１２０が閉じられたと判断した場合（Ｓ２２，Ｙｅｓ）、制御部１００は、第１ソレノイド１５１および第２ソレノイド１５２をＯＦＦする（Ｓ２３）。これにより、第１ロック機構１４１および第２ロック機構１４２がロック状態となり、第１カバー１１０および第２カバー１２０が筐体２にロックされる。ステップＳ２３の後、ステップＳ１に戻る。
【００８１】
ステップＳ２において、制御部１００が、ドラムカートリッジ８交換のタイミングでないと判断した場合（Ｓ２，Ｎｏ）、制御部１００は、第１判定処理としてトナーカートリッジ９の交換のタイミングであるかを判断する（Ｓ３）。
【００８２】
ステップＳ３において、制御部１００が、トナーカートリッジ９の交換タイミングであると判断した場合（Ｓ３，Ｙｅｓ）、制御部１００は、第４処理を実行して第１ソレノイド１５１をＯＮする（Ｓ３１）。なお、第２ソレノイド１５２はＯＦＦのままとする。第１ソレノイド１５１がＯＮされると、第１ロック機構１４１が解除される。これにより、第１カバー１１０のみが開く。第１カバー１１０のみが開くと、ユーザーはトナーカートリッジ９の交換のタイミングであるとわかる。ユーザーはトナーカートリッジ９を交換した後、第１カバー１１０を閉じればよい。
【００８３】
ステップＳ３１のあと、制御部１００は、第１カバー１１０が閉じられたかを判断する（Ｓ３２）。ステップＳ３２において、制御部１００が、第１カバー１１０が閉じられていないと判断した場合（Ｓ２３，Ｎｏ）、制御部１００は、第１カバー１１０が閉じられるまで待つ。
【００８４】
ステップＳ３２において、制御部１００が、第１カバー１１０が閉じられたと判断した場合（Ｓ３２，Ｙｅｓ）、制御部１００は、第１ソレノイド１５１をＯＦＦする（Ｓ３３）。これにより、第１ロック機構１４１がロック状態となり、第１カバー１１０が筐体２にロックされる。ステップＳ３３の後、ステップＳ１に戻る。
【００８５】
ステップＳ３において、制御部１００が、トナーカートリッジ９の交換タイミングでないと判断した場合（Ｓ３，Ｎｏ）、制御部１００は、印刷ＪＯＢがあるかを判断する（Ｓ４）。ステップＳ４において、制御部１００が、印刷ＪＯＢがないと判断した場合（Ｓ４，Ｎｏ）、制御部１００は、印刷ＪＯＢが来るまで待つ。
【００８６】
ステップＳ４において、制御部１００が、印刷ＪＯＢがあると判断した場合（Ｓ４，Ｙｅｓ）、制御部１００は、第３判定処理として紙詰まり状態であるかを判断する（Ｓ５）。ステップＳ５において、制御部１００が、紙詰まり状態でないと判断した場合（Ｓ５，Ｎｏ）、ステップＳ１に戻る。
【００８７】
ステップＳ５において、制御部１００が、紙詰まり状態であると判断した場合（Ｓ５，Ｙｅｓ）、制御部１００は、第６処理を実行して第１ソレノイド１５１および第２ソレノイド１５２をＯＮする（Ｓ５１）。第１ソレノイド１５１および第２ソレノイド１５２がＯＮされると、第１ロック機構１４１および第２ロック機構１４２が解除される。これにより、第１カバー１１０および第２カバー１２０が開く。第１カバー１１０および第２カバー１２０が開くとユーザーは、ドラムカートリッジ８を着脱する必要があることがわかる。ユーザーはドラムカートリッジ８を取り外して紙詰まりを解消した後、ドラムカートリッジ８を装着して第１カバー１１０および第２カバー１２０を閉じればよい。
【００８８】
ステップＳ５１のあと、制御部１００は、第１カバー１１０および第２カバー１２０が閉じられたかを判断する（Ｓ５２）。ステップＳ５２において、制御部１００が、第１カバー１１０および第２カバー１２０が閉じられていないと判断した場合（Ｓ５２，Ｎｏ）、制御部１００は、第１カバー１１０および第２カバー１２０が閉じられるまで待つ。
【００８９】
ステップＳ５２において、制御部１００が、第１カバー１１０および第２カバー１２０が閉じられたと判断した場合（Ｓ５２，Ｙｅｓ）、制御部１００は、第１ソレノイド１５１および第２ソレノイド１５２をＯＦＦして（Ｓ５３）、ステップＳ１に戻る。これにより、第１ロック機構１４１および第２ロック機構１４２がロック状態となり、第１カバー１１０および第２カバー１２０が筐体２にロックされる。
【００９０】
以上のように構成された画像形成装置１の効果について説明する。
【００９１】
画像形成装置１は、第１カバー１１０と第２カバー１２０を両方開けると、ドラムカートリッジ８を着脱することができる。そして、第１カバー１１０のみを開けると、トナーカートリッジ９のみを着脱することができる。このため、トナーカートリッジ９を交換するときには、わざわざドラムカートリッジ８着脱する必要がない。さらに、第１カバー１１０のみを開ければ、ユーザーが間違えてドラムカートリッジ８を着脱することがない。この結果、画像形成装置１からトナーカートリッジ９とドラムカートリッジ８を交換しやくすることができる。
【００９２】
また、第１カバー１１０および第２カバー１２０は、共に、フロントカバーであるため、ユーザーは、どちらのカバーを開閉するときにも、前側から操作することができる。
【００９３】
また、閉位置にある第２カバー１２０を筐体２にロックするロック状態と、筐体２にロックしない非ロック状態とに切替可能な第２ロック機構１４２を備えているので、トナーカートリッジ９を着脱するときに第２カバー１２０が開くことを抑制できる。
【００９４】
また、閉位置にある第１カバー１１０を、筐体２にロックするロック状態と、筐体２にロックしない非ロック状態とに切替可能な第１ロック機構１４１を備えているので、トナーカートリッジ９とドラムカートリッジ８を着脱しないときに、第１カバー１１０が開くことを抑制できる。
【００９５】
また、制御部１００が、トナーカートリッジ９の交換タイミングであると判定した場合に、制御部１００は、第１カバー１１０を非ロック状態とし、第２カバー１２０をロック状態とする。このため、ユーザーは、ドラムカートリッジ８と間違わずに、トナーカートリッジ９のみを着脱することができる。また、非ロック状態となった第１カバー１１０が少し開くことで、トナーカートリッジ９の交換タイミングをユーザーに知らせることができる。
【００９６】
また、制御部１００が、ドラムカートリッジ８の交換タイミングであると判定した場合に、制御部１００は、第１カバー１１０を非ロック状態とし、第２カバー１２０を非ロック状態とする。このため、ユーザーは、トナーカートリッジ９と間違わずに、ドラムカートリッジ８を着脱することができる。また、非ロック状態となった第１カバー１１０および第２カバー１２０が少し開くことで、ドラムカートリッジ８を着脱する必要があることをユーザーに知らせることができる。
【００９７】
また、制御部１００が、紙詰まり状態であると判定した場合に、制御部１００は、第１カバー１１０を非ロック状態とし、第２カバー１２０を非ロック状態とする。これにより、紙詰まり状態になったとき、ユーザーは、トナーカートリッジ９と間違わずに、ドラムカートリッジ８を着脱することができる。また、非ロック状態となった第１カバー１１０および第２カバー１２０が少し開くことで、ドラムカートリッジ８を着脱する必要があることをユーザーに知らせることができる。
【００９８】
以上、本発明の実施形態について説明したが、本発明は前記実施形態に限定されるものではない。具体的な構成については、本発明の趣旨を逸脱しない範囲で適宜変更が可能である。
【００９９】
上述した実施形態では、第１カバーを、筐体にロックする第１ロック機構を備えていたが、第１ロック機構に代えて、第１カバーを、第２カバーにロックする第３ロック機構を備える構成としてもよい。
【０１００】
例えば、第２実施形態における画像形成装置１Ａは、図９（ａ），（ｂ）に示すように、第１カバー２１０を第２カバー２２０にロックする第３ロック機構１４３を備えている。第３ロック機構１４３は、第１カバー２１０を、第２カバー２２０にロックするロック状態と、ロックしない非ロック状態とに切替可能である。
【０１０１】
第３ロック機構１４３は、第３ソレノイド１５３と第３凹部１１３を有している。第３ソレノイド１５３は、本体部１５３Ａと可動部１５３Ｂを有している。第３ソレノイド１５３は、ＯＮすると可動部１５３Ｂが本体部１５３Ａ内に引っ込み、ＯＦＦすると可動部１５３Ｂが本体部１５３Ａから突出するようになっている。
第３ソレノイド１５３がＯＦＦのときには、可動部１５３Ｂが第３凹部１１３と係合している。これにより、第１カバー２１０は、第２カバー２２０にロックされてロック状態となる。そして、図９（ｂ）に示すように、第３ソレノイド１５３がＯＮのときには、可動部１５３Ｂと第３凹部１１３の係合が解除される。これにより、第１カバー２１０が第２カバー２２０にロックしない非ロック状態となる。本実施形態では、第３ロック機構１４３が非ロック状態となると、第１カバー２１０は、自重または図示しないバネにより閉位置から開位置に向けて少し移動するようになっている。
【０１０２】
第２実施形態における制御部１００は、第１実施形態の第４処理と第５処理と第６処理に代えて、第７処理と第８処理と第９処理を実行可能である。
【０１０３】
制御部１００は、第１判定処理により、トナーカートリッジ９の交換タイミングであると判定された場合、第２ロック機構１４２をロック状態とするとともに第３ロック機構１４３を非ロック状態とする第７処理を実行する。
【０１０４】
制御部１００は、第２判定処理により、ドラムカートリッジ８の交換タイミングであると判定された場合、第２ロック機構１４２を非ロック状態とするとともに第３ロック機構１４３をロック状態とする第８処理を実行する。
【０１０５】
制御部１００は、第３判定処理により、紙詰まり状態であると判定された場合、第２ロック機構１４２を非ロック状態とするとともに第３ロック機構１４３をロック状態とする第９処理を実行する。
【０１０６】
次に、第２実施形態における制御部１００の動作の一例について詳細に説明する。ステップＳ１からステップＳ５については、第１実施形態と同様であるため、一部説明を省略する。画像形成装置１の電源がＯＮされる前の状態では、第２ソレノイド１５２および第３ソレノイド１５３はＯＦＦになっている。
【０１０７】
ステップＳ２において、制御部１００が、ドラムカートリッジの交換タイミングであると判断した場合（Ｓ２，Ｙｅｓ）、制御部１００は、第８処理を実行して第２ソレノイド１５２をＯＮする（Ｓ２２１）。なお、第３ソレノイド１５３はＯＦＦのままとする。第２ソレノイド１５２がＯＮされると、第２ロック機構１４２が解除される。このとき、第３ロック機構１４３はＯＦＦのままなので、第１カバー２１０は、第２カバー２２０にロックされた状態で第２カバー２２０と共に開く。第１カバー２１０および第２カバー２２０が開くと、ユーザーはドラムカートリッジ８を着脱する必要があることがわかる。ユーザーはドラムカートリッジ８を交換した後、第１カバー２１０および第２カバー２２０を閉じればよい。なお、ドラムカートリッジ８とトナーカートリッジ９の交換タイミングが同時のときには、ユーザーは、ドラムカートリッジ８と共にトナーカートリッジ９も交換すればよい。
【０１０８】
ステップＳ２２１のあと、制御部１００は、第１カバー２１０および第２カバー２２０が閉じられたかを判断する（Ｓ２２２）。ステップＳ２２２において、制御部１００が、第１カバー２１０および第２カバー２２０が閉じられていないと判断した場合（Ｓ２２２，Ｎｏ）、制御部１００は、第１カバー２１０および第２カバー２２０が閉じられるまで待つ。
【０１０９】
ステップＳ２２２において、制御部１００が、第１カバー２１０および第２カバー２２０が閉じられたと判断した場合（Ｓ２２２，Ｙｅｓ）、制御部１００は、第２ソレノイド１５２をＯＦＦする（Ｓ２２３）。これにより、第２ロック機構１４２および第３ロック機構１４３がロック状態となり、第１カバー１１０および第２カバー１２０が筐体２にロックされる。ステップＳ２２３の後、ステップＳ１に戻る。
【０１１０】
ステップＳ３において、制御部１００が、トナーカートリッジ９の交換タイミングであると判断した場合（Ｓ３，Ｙｅｓ）、制御部１００は、第７処理を実行して第３ソレノイド１５３をＯＮする（Ｓ２３１）。なお、第２ソレノイド１５２はＯＦＦのままである。第３ソレノイド１５３がＯＮされると、第３ロック機構１４３が解除される。これにより、第１カバー２１０のみが開く。第１カバー２１０のみが開くと、ユーザーはトナーカートリッジ９の交換のタイミングであるとわかる。ユーザーはトナーカートリッジ９を交換した後、第１カバー２１０を閉じればよい。
【０１１１】
ステップＳ２３１のあと、制御部１００は、第１カバー２１０が閉じられたかを判断する（Ｓ２３２）。ステップＳ２３２において、制御部１００が、第１カバー２１０が閉じられていないと判断した場合（Ｓ２３２，Ｎｏ）、制御部１００は、第１カバー２１０が閉じられるまで待つ。
【０１１２】
ステップＳ２３２において、制御部１００が、第１カバー１１０が閉じられたと判断した場合（Ｓ２３２，Ｙｅｓ）、制御部１００は、第３ソレノイド１５３をＯＦＦする（Ｓ２３３）。これにより、第３ロック機構１４３がロック状態となり、第１カバー２１０が第２カバー２２０にロックされる。ステップＳ２３３の後、ステップＳ１に戻る。
【０１１３】
ステップＳ５において、制御部１００が、紙詰まり状態であると判断した場合（Ｓ５，Ｙｅｓ）、制御部１００は、第９処理を実行して第２ソレノイド１５２をＯＮする（Ｓ２５１）。なお、第３ソレノイド１５３はＯＦＦのままである。第２ソレノイド１５２がＯＮされると、第２ロック機構１４２が解除される。これにより、第１カバー２１０および第２カバー２２０がともに開く。第１カバー２１０および第２カバー２２０が開くとユーザーは、ドラムカートリッジ８を着脱する必要があることがわかる。ユーザーはドラムカートリッジ８を取り外して紙詰まりを解消した後、ドラムカートリッジ８を装着して第１カバー２１０および第２カバー２２０を閉じればよい。
【０１１４】
ステップＳ２５１のあと、制御部１００は、第１カバー２１０および第２カバー２２０が閉じられたかを判断する（Ｓ２５２）。ステップＳ２５２において、制御部１００が、第１カバー２１０および第２カバー２２０が閉じられていないと判断した場合（Ｓ２５２，Ｎｏ）、制御部１００は、第１カバー２１０および第２カバー２２０が閉じられるまで待つ。
【０１１５】
ステップＳ２５２において、制御部１００が、第１カバー２１０および第２カバー２２０が閉じられたと判断した場合（Ｓ２５２，Ｙｅｓ）、制御部１００は、第２ソレノイド１５２をＯＦＦする（Ｓ２５３）。これにより、第２ロック機構１４２がロック状態となり、第１カバー２１０および第２カバー２２０が筐体２にロックされる。ステップＳ２５３の後、ステップＳ１に戻る。
【０１１６】
このように構成された第２実施形態であっても、第１実施形態と同様に、画像形成装置１Ａからトナーカートリッジ９とドラムカートリッジ８を交換しやすくできる。
【０１１７】
上述した第１実施形態では、画像形成装置は、第１ロック機構と第２ロック機構を備える構成としていたが、第１ロック機構を省略する構成としてもよい。この場合、制御部１００による制御を少し変更することができる。例えば、第３実施形態における制御部１００は、第１実施形態の第４処理と第５処理と第６処理に代えて、第１処理と第２処理と第３処理を実行可能である。
【０１１８】
第１処理は、第１判定処理により、トナーカートリッジの交換タイミングであると判定された場合、第２ロック機構をロック状態とする処理である。
第２処理は、第２判定処理により、ドラムカートリッジの交換タイミングであると判定された場合、第２ロック機構を非ロック状態とする処理である。
第３処理は、第３判定処理により、紙詰まり状態であると判定された場合、第２ロック機構を非ロック状態とする処理である。
【０１１９】
次に、第３実施形態における制御部１００の動作の一例について詳細に説明する。ステップＳ１からステップＳ５については、第１実施形態と同様であるため、一部説明を省略する。画像形成装置１の電源がＯＮされる前の状態では、第２ソレノイド１５２はＯＦＦになっている。
【０１２０】
ステップＳ２において、制御部１００が、ドラムカートリッジ８の交換タイミングであると判断した場合（Ｓ２，Ｙｅｓ）、制御部１００は、第２処理を実行して第２ソレノイド１５２をＯＮする（Ｓ３２１）。第２ソレノイド１５２がＯＮされると、第２ロック機構１４２が解除される。これにより、ユーザーは、第１カバー１１０および第２カバー１２０を開くことが可能となる。ユーザーは、ドラムカートリッジを交換した後で第１カバー１１０および第２カバー１２０を閉めればよい。
【０１２１】
ステップＳ３２１のあと、制御部１００は、第１カバー１１０および第２カバー１２０が閉じられたかを判断する（Ｓ３２２）。ステップＳ３２２において、制御部１００が、第１カバー１１０および第２カバー１２０が閉じられていないと判断した場合（Ｓ３２２，Ｎｏ）、制御部１００は、第１カバー１１０および第２カバー１２０が閉じられるまで待つ。
【０１２２】
ステップＳ３２２において、制御部１００が、第１カバー１１０および第２カバー１２０が閉じられたと判断した場合（Ｓ３２２，Ｙｅｓ）、制御部１００は、第２ソレノイド１５２をＯＦＦする（Ｓ３２３）。これにより、第２ロック機構１４２がロック状態となり、第２カバー１２０が筐体２にロックされる。ステップＳ３２３の後、ステップＳ１に戻る。
【０１２３】
ステップＳ３において、制御部１００が、トナーカートリッジ９の交換タイミングであると判断した場合（Ｓ３，Ｙｅｓ）、制御部１００は、第１処理を実行して第２ソレノイド１５２をＯＦＦのままとする（Ｓ３３１）。第２ソレノイド１５２がＯＦＦのままでると、第２ロック機構１４２がロック状態のまま維持される。これにより、ユーザーは、第２カバー１２０を開くことができず、第１カバー１１０のみを開くことが可能となる。ユーザーは、トナーカートリッジ９を交換した後で第１カバー１１０を閉めればよい。
【０１２４】
ステップＳ３３１のあと、制御部１００は、第１カバー１１０が閉じられたかを判断する（Ｓ３３２）。ステップＳ３３２において、制御部１００が、第１カバー２１０が閉じられていないと判断した場合（Ｓ３３２，Ｎｏ）、制御部１００は、第１カバー１１０が閉じられるまで待つ。
【０１２５】
ステップＳ３３２において、制御部１００が、第１カバー１１０が閉じられたと判断した場合（Ｓ３３２，Ｙｅｓ）、ステップＳ１に戻る。
【０１２６】
ステップＳ５において、制御部１００が、紙詰まり状態であると判断した場合（Ｓ５，Ｙｅｓ）、制御部１００は、第３処理を実行して第２ソレノイド１５２をＯＮする（Ｓ３５１）。第２ソレノイド１５２がＯＮされると、第２ロック機構１４２が解除される。１１０および第２カバー１２０を閉めればよい。ユーザーはドラムカートリッジ８を取り外して紙詰まりを解消した後、ドラムカートリッジ８を装着して第１カバー１１０および第２カバー１２０を閉じればよい。
【０１２７】
ステップＳ３５１のあと、制御部１００は、第１カバー１１０および第２カバー１２０が閉じられたかを判断する（Ｓ３５２）。ステップＳ３５２において、制御部１００が、第１カバー１１０および第２カバー１２０が閉じられていないと判断した場合（Ｓ３５２，Ｎｏ）、制御部１００は、第１カバー１１０および第２カバー１２０が閉じられるまで待つ。
【０１２８】
ステップＳ３５２において、制御部１００が、第１カバー１１０および第２カバー１２０が閉じられたと判断した場合（Ｓ３５２，Ｙｅｓ）、制御部１００は、第２ソレノイド１５２をＯＦＦする（Ｓ３５３）。これにより、第２ロック機構１４２がロック状態となり、第２カバー１２０が筐体２にロックされる。ステップＳ３５３の後、ステップＳ１に戻る。
【０１２９】
このように構成された第３実施形態であっても、第１実施形態と同様に、画像形成装置からトナーカートリッジ９とドラムカートリッジ８を交換しやすくできる。
【０１３０】
上述した各実施形態では、非ロック状態となった第１カバーや第２カバーは、自重またはバネにより開位置から閉位置に少し移動する構成であったが、非ロック状態になったときに、第１カバーや第２カバーが移動しない構成であってもよい。
【０１３１】
上述の各実施形態においては、モノクロのレーザプリンタの画像形成装置を例示したが、画像形成装置はカラーの画像形成装置であってもよいし、ＬＥＤにより露光するものであってもよいし、コピー機や複合機であってもよい。
【０１３２】
上述した各実施形態および各変形例の各要素は、任意に組み合わせて実施することが可能である。
【符号の説明】
【０１３３】
１      画像形成装置
２      筐体
８      ドラムカートリッジ
９      トナーカートリッジ
２３    開口
８１    感光体ドラム
９０    ケース
９１    現像ローラ
１１０  第１カバー
１２０  第２カバー
１４１  第１ロック機構
１４２  第２ロック機構
１４３  第３ロック機構
１５１  第１ソレノイド
１５２  第２ソレノイド
１５３  第３ソレノイド
Ｘ１    第１軸
Ｘ２    第２軸
【図１】
2019174691.tif 000003
【図２】
2019174691.tif 000004
【図３】
2019174691.tif 000005
【図４】
2019174691.tif 000006
【図５】
2019174691.tif 000007
【図６】
2019174691.tif 000008
【図７】
2019174691.tif 000009
【図８】
2019174691.tif 000010
【図９】
2019174691.tif 000011
【図１０】
2019174691.tif 000012
【図１１】
2019174691.tif 000013